(57)【要約】【課題】放射性廃棄物量を低減することができると共に、運用が簡便な洗濯装置を提供すること。【解決手段】洗濯装置１０は、オゾン又は空気の微細気泡（マイクロバブル又はナノバブル）を、洗剤を含まない洗浄水に供給することにより被洗浄物を洗濯する洗濯乾燥機１１と、洗濯廃液を貯留する洗濯廃液収集タンク１２と、洗濯廃液を濾過する洗濯廃液濾過器１３と、濾過済み液を貯留する洗濯廃液サンプルタンク１４と、洗濯廃液濾過器１３の濾材を洗浄する逆洗器１５と、濾材洗浄廃液を貯留する逆洗廃液収集タンク１６と、これら各構成部材をそれぞれ接続する配管１７，１８，１９，２０，２１と、を備える。【選択図】図１
2011064463.tif 000002
【特許請求の範囲】
【請求項１】
オゾン又は空気の微細気泡を洗浄水に供給し、被洗浄物を洗濯する洗濯機と、
前記洗濯機から排出される洗濯廃液を濾材によって濾過する濾過器と、
前記濾過器によって濾過された前記洗濯廃液を貯留する濾過済み液貯留タンクと、
前記濾過器の下流側から上流側に向けて洗浄水を供給し、前記濾材に付着した異物を除去する濾材洗浄器と、
を備えることを特徴とする洗濯装置。
【請求項２】
前記濾材の洗浄に使用された前記洗浄水と除去された前記異物とを含む濾材洗浄廃液を貯留する濾材洗浄廃液貯留タンクを備えることを特徴とする請求項１に記載の洗濯装置。
【請求項３】
前記濾過済み液貯留タンクの前記洗濯廃液を前記濾材洗浄器に供給する濾過済み液供給手段を備えることを特徴とする請求項１又は２に記載の洗濯装置。
【請求項４】
前記微細気泡は、気泡の直径がマイクロメートルオーダーのマイクロバブル、又は気泡の直径がナノメートルオーダーのナノバブルであることを特徴とする請求項１から３のいずれかに記載の洗濯装置。
【請求項５】
前記濾材は、プリーツ型フィルタ又は中空糸型フィルタであることを特徴とする請求項１から４のいずれかに記載の洗濯装置。
【請求項６】
洗濯された前記被洗浄物を乾燥する乾燥機を有することを特徴とする請求項１から５のいずれかに記載の洗濯装置。
【発明の詳細な説明】
【技術分野】
【０００１】
本発明は、原子力発電所等の原子力管理区域で使用される洗濯装置に関する。
【背景技術】
【０００２】
従来より、原子力発電所等の原子力管理区域では、作業員の衣類等を洗浄する洗濯装置が設けられている。このような洗濯装置から発生する洗濯廃液は、濾過処理や蒸発濃縮処理等によって放射性物質を除去低減した上で、外部環境に放出される。
【０００３】
このような従来の洗濯装置として、洗濯水に微細気泡を大量に噴流混合し、洗濯装置の攪拌機構を不要にすると共に、洗剤の使用量を低減する技術が提案されている（例えば、特許文献１参照）。
【０００４】
また、洗濯廃液を、粉末活性炭を用いて濾過処理することにより、該洗濯廃液から界面活性剤等の有機物成分を除去する技術が提案されている（例えば、特許文献２参照）。
【先行技術文献】
【特許文献】
【０００５】
【特許文献１】特開平１１−２６７３９１号公報
【特許文献２】特開平９−２５１０９４号公報
【発明の概要】
【発明が解決しようとする課題】
【０００６】
しかしながら、上記特許文献１に係る従来技術は、界面活性剤等の洗剤を用いて洗濯しているため、洗濯廃液に洗剤成分起因の発泡が生じる。このため、該従来技術を原子力管理区域の洗濯装置に適用すると、洗濯廃液の濾過処理の際に、上記発泡が濾材の目詰まりを促進してしまうという問題点があった。
また、洗濯廃液を蒸発濃縮処理する場合においては、上記発泡が該処理の妨げとなり、放射性物質を含む洗濯廃液の迅速な濃縮処理が困難であるという問題点があった。
【０００７】
また、上記特許文献２に係る従来技術は、洗濯廃液を、粉末活性炭を用いて濾過処理しているので、後に廃活性炭が発生するという問題点があった。
【０００８】
本発明は、上記に鑑みてなされたものであって、放射性廃棄物量を低減することができると共に、運用が簡便な洗濯装置を提供することを目的とする。
【課題を解決するための手段】
【０００９】
（１）  本発明は、オゾン又は空気の微細気泡を洗浄水に供給し、被洗浄物を洗濯する洗濯機と、前記洗濯機から排出される洗濯廃液を濾材によって濾過する濾過器と、前記濾過器によって濾過された前記洗濯廃液を貯留する濾過済み液貯留タンクと、前記濾過器の下流側から上流側に向けて洗浄水を供給し、前記濾材に付着した異物を除去する濾材洗浄器と、を備えることを特徴とする。
【００１０】
（２）  （１）に記載の発明においては、前記濾材の洗浄に使用された前記洗浄水と除去された前記異物とを含む濾材洗浄廃液を貯留する濾材洗浄廃液貯留タンクを備えることが好ましい。
【００１１】
（３）  （１）又は（２）に記載の発明においては、前記濾過済み液貯留タンクの前記洗濯廃液を前記濾材洗浄器に供給する濾過済み液供給手段を備える。
【００１２】
（４）  （１）から（３）のいずれかに記載の発明においては、前記微細気泡は、気泡の直径がマイクロメートルオーダーのマイクロバブル、又は気泡の直径がナノメートルオーダーのナノバブルであることが好ましい。
【００１３】
（５）  （１）から（４）のいずれかに記載の発明においては、前記濾材は、プリーツ型フィルタ又は中空糸型フィルタであることが好ましい。
【００１４】
（６）  （１）から（５）のいずれかに記載の発明においては、洗濯された前記被洗浄物を乾燥する乾燥機を有することが好ましい。
【発明の効果】
【００１５】
本発明によれば、放射性廃棄物量を低減することができると共に、運用が簡便な洗濯装置を提供することができる。
【図面の簡単な説明】
【００１６】
【図１】本発明の第１実施形態に係る洗濯装置を示すブロック図である。
【図２】本発明の第２実施形態に係る洗濯装置を示すブロック図である。
【発明を実施するための形態】
【００１７】
以下に、本発明の実施形態を図面を参照しながら詳細に説明する。
【００１８】
〔第１実施形態〕
図１は、本発明の第１実施形態に係る洗濯装置を示すブロック図である。図１に示すように、本発明の第１実施形態に係る洗濯装置１０は、洗濯乾燥機１１と、洗濯廃液収集タンク１２と、濾過器としての洗濯廃液濾過器１３と、濾過済み液貯留タンクとしての洗濯廃液サンプルタンク１４と、洗濯廃液濾過器１３の濾材を洗浄する逆洗器１５と、濾材洗浄廃液貯留タンクとしての逆洗廃液収集タンク１６と、これら各構成部材をそれぞれ接続する配管１７，１８，１９，２０，２１と、を備える。
【００１９】
＜洗濯乾燥機１１の説明＞
先ず、洗濯乾燥機１１について説明する。洗濯乾燥機１１によって洗濯される被洗浄物は、原子力発電所等の放射線管理区域内において作業で使用された衣類等である。被洗浄物には、作業中の各種汚れ等（汗や人体からの皮脂成分等）と共に、放射性物質が付着していることがある。
図１に示すように、洗濯乾燥機１１は、上記被洗浄物を洗浄する洗濯機としての洗濯機部１１ａと、洗浄した該被洗浄物を乾燥する乾燥機としての乾燥機部１１ｂと、を備える。
【００２０】
洗濯機部１１ａは、オゾン又は空気の微細気泡を洗浄水に供給し、被洗浄物を洗濯する。すなわち、洗濯機部１１ａは、微細気泡を生成し、該微細気泡を洗浄水中に噴射可能に構成されている。
また、洗濯機部１１ａは、脱水機能も有している。
【００２１】
微細気泡に使用される気体は、オゾン又は空気であることが好ましい。特に、オゾンは、酸化力が強く、有害物質を分解し、殺菌や消臭作用を有することが知られている。また、オゾンは、有機物の分解作用による洗浄作用や漂白作用も有することが知られている。
【００２２】
微細気泡は、気泡の直径がマイクロメートルオーダーのマイクロバブル、又は気泡の直径がナノメートルオーダーのナノバブルであることが好ましい。気泡が微細化されているため、短時間で水に溶け込むことが知られている。
【００２３】
洗浄水は、界面活性剤等の洗剤を含まない水であることが好ましい。洗剤成分起因の発泡による洗濯廃液処理能力の低下（詳細は後述する）を回避するためである。
【００２４】
乾燥機部１１ｂは、洗浄され脱水された被洗浄物に温風等を供給することにより該被洗浄物を乾燥可能に構成されている。
【００２５】
このように構成された洗濯乾燥機１１は、洗濯廃液収集タンク１２と配管１７によって接続されている。洗濯乾燥機１１から排出される洗濯廃液は、この配管１７を介して洗濯廃液収集タンク１２に送出されるように構成されている。
配管１７には、洗濯廃液を送出するポンプや流路を開閉する弁装置が適宜設けられていることが好ましい。
【００２６】
洗濯廃液は、被洗浄物を洗濯した後に洗濯機部１１ａから排出される洗浄水であり、脱水時に回収される洗浄水も含まれる。なお、被洗浄物の乾燥時に、被洗浄物に含まれる水分が回収される場合には、該水分を洗濯廃液として回収してもよい。
【００２７】
＜洗濯廃液収集タンク１２の説明＞
次に、洗濯廃液収集タンク１２について説明する。洗濯廃液収集タンク１２は、洗濯乾燥機１１から排出される洗濯廃液を貯留可能に構成されている。洗濯廃液収集タンク１２は、洗濯廃液濾過器１３と配管１８によって接続されている。洗濯廃液収集タンク１２の洗濯廃液は、この配管１８を介して洗濯廃液濾過器１３に送出されるように構成されている。配管１８には、洗濯廃液を送出するポンプや流路を開閉する弁装置が適宜設けられていることが好ましい。
【００２８】
＜洗濯廃液濾過器１３の説明＞
次に、洗濯廃液濾過器１３について説明する。洗濯廃液濾過器１３は、洗濯廃液収集タンク１２から排出される洗濯廃液を濾材によって濾過する。すなわち、洗濯廃液濾過器１３は、洗濯廃液が濾材の一方側（上流側）から導入され、該濾材によって濾過された洗濯廃液（濾過済み液）が該濾材の他方側（下流側）に導出されるように構成されている。
【００２９】
洗濯廃液濾過器１３の濾材には、例えば、濾過助剤の用いられていないプリーツ型フィルタ又は中空糸型フィルタが用いられることが好ましい。
濾過助剤は、濾材の表面にプリコートされる粉末イオン交換樹脂等である。
【００３０】
プリーツ型フィルタは、不織布製の濾過膜を襞状に折り込み、所定形状（例えば、菊花状）に展開して構成されたものである。また、中空糸型フィルタは、略円柱状に束ねた多数の中空糸膜が、円筒状の収納ケース内に収束されて固定されたものである。
これらの濾材は、後述する逆洗器１５によって逆洗可能となるように構成されているが、逆洗廃液を発生させないようにするために、逆洗せずに該フィルタを取り替えることもできる。
【００３１】
このように構成された洗濯廃液濾過器１３は、洗濯廃液サンプルタンク１４と配管１９によって接続され、逆洗器１５と配管２０によって接続され、更に逆洗廃液収集タンク１６と配管２１によって接続されている。
洗濯廃液濾過器１３によって濾過された洗濯廃液は、配管１９を介して洗濯廃液サンプルタンク１４に送出されるように構成されている。配管１９には、濾過された洗濯廃液を送出するポンプや流路を開閉する弁装置が適宜設けられていることが好ましい。
【００３２】
＜洗濯廃液サンプルタンク１４の説明＞
洗濯廃液サンプルタンク１４は、洗濯廃液濾過器１３によって濾過された洗濯廃液を外部環境に放出する前に一時貯留する。洗濯廃液サンプルタンク１４は、該濾過された洗濯廃液が外部環境に放出可能な水質であるか否かを検査可能に構成されている。洗濯廃液サンプルタンク１４において、所定の水質基準が満たされた洗濯廃液は、図示しない配管等を介して外部環境に放出されるようになっている。
【００３３】
＜逆洗器１５の説明＞
次に、逆洗器１５について説明する。逆洗器１５は、洗濯廃液濾過器１３の下流側から上流側に所定の洗浄水（以下、逆洗水という）を加圧供給することで、濾材に付着した異物を洗浄し、洗濯廃液濾過器１３の差圧（濾過能力）の回復を図るものである。
逆洗器１５は、配管２０を介して洗濯廃液濾過器１３に逆洗水を供給し、洗濯廃液濾過器１３の濾材を洗浄する。逆洗器１５は、逆洗水を加圧する加圧空気供給手段（図示せず）を有する。逆洗水は、例えば、洗濯装置１０の系外から供給されるようになっている。
【００３４】
＜逆洗廃液収集タンク１６の説明＞
次に、逆洗廃液収集タンク１６について説明する。逆洗廃液収集タンク１６は、洗濯廃液濾過器１３と配管２１によって接続されている。逆洗廃液収集タンク１６は、上記濾材の洗浄に使用された逆洗水（洗浄水）と、除去された異物（例えば、作業衣類の繊維屑や微小な固形分等）とを含む濾材洗浄廃液を貯留する。
【００３５】
このような濾材洗浄廃液には、放射性物質が含まれている。このため、逆洗廃液収集タンク１６に貯留された濾材洗浄廃液は、図示しない処理系に送出され、該処理系において、例えば、イオン交換樹脂処理や蒸発濃縮処理等によって減容処理されるようになっている。
【００３６】
次に、本発明の第１実施形態に係る洗濯装置１０の動作について図１を参照しながら説明する。
洗濯乾燥機１１の洗濯機部１１ａは、オゾン又は空気の微細気泡（マイクロバブル又はナノバブル）を洗浄水に供給し、被洗浄物を洗濯する。被洗浄物は、この微細気泡を含む洗浄水により洗浄され、殺菌、消臭、漂白等される。洗浄水は、界面活性剤等の洗剤を含んでいないため、洗剤成分起因の発泡は生じない。
【００３７】
洗浄された被洗浄物は、洗濯機部１１ａによって脱水された後、乾燥機部１１ｂによって乾燥される。
なお、洗濯乾燥された被洗浄物は、いわゆるランドリモニタ装置によって放射能汚染がないことを確認された後、作業に再利用される。
【００３８】
被洗浄物の洗濯が終了すると、洗濯乾燥機１１から洗濯廃液が排出される。この洗濯廃液は、配管１７を介して洗濯廃液収集タンク１２に送出され、洗濯廃液収集タンク１２に貯留される。
【００３９】
洗濯廃液収集タンク１２に貯留された洗濯廃液は、配管１８を介して洗濯廃液濾過器１３に送出され、洗濯廃液濾過器１３によって濾過される。これにより、洗濯廃液から作業衣類の繊維屑や各種汚れ等（汗や人体からの皮脂成分等）が除去される。
【００４０】
洗濯廃液濾過器１３によって濾過された洗濯廃液（濾過済み液）は、配管１９を介して洗濯廃液サンプルタンク１４に送出され、洗濯廃液サンプルタンク１４に貯留される。
そして、洗濯廃液サンプルタンク１４においては、貯留された洗濯廃液が外部環境に放出可能な水質であるか否かが検査される。この検査の結果、所定の水質基準を満たす洗濯廃液は、図示しない配管等を介して外部環境に放出される。
【００４１】
洗濯廃液濾過器１３は、異物による濾材の目詰まりによって濾過能力が次第に低下する。そこで、洗濯廃液濾過器１３の濾材は、定期的に、逆洗器１５により配管２０を介して逆洗水が供給され、洗浄される。すなわち、洗濯廃液濾過器１３の濾材は、逆洗器１５によって、濾過方向における下流側から上流側に向けて逆洗水を加圧供給されることにより、洗浄される。なお、逆洗廃液を発生させないようにするために、洗濯廃液濾過器１３の濾材（フィルタ）を逆洗せずに、該フィルタを取り替えることもできる。
【００４２】
濾材の洗浄に使用された逆洗水と、除去された異物とを含む濾材洗浄廃液は、配管２１を介して逆洗廃液収集タンク１６に貯留される。
【００４３】
逆洗廃液収集タンク１６に貯留された濾材洗浄廃液は、図示しない処理系に送出される。該処理系においては、例えば、イオン交換樹脂処理や蒸発濃縮処理等によって放射性物質が減容処理される。
【００４４】
以上のように、第１実施形態に係る洗濯装置１０によれば、以下に示す各効果が奏される。
第１実施形態に係る洗濯装置１０においては、オゾン又は空気の微細気泡により被洗浄物を洗濯する洗濯乾燥機１１と、洗濯廃液収集タンク１２と、洗濯廃液濾過器１３と、洗濯廃液サンプルタンク１４と、逆洗器１５と、逆洗廃液収集タンク１６と、配管１７，１８，１９，２０，２１と、を備える。このため、被洗浄物は、微細気泡を含む洗浄水によって綺麗に洗浄される。
このように、微細気泡を含む洗浄水によって被洗浄物を綺麗に洗浄できるので、洗浄水に界面活性剤等の洗剤を入れる必要がない。
したがって、洗濯廃液濾過器１３における濾過の際に、洗剤成分起因の発泡が生じず、濾材の目詰まりを抑制することができる。
また、逆洗廃液収集タンク１６の濾材洗浄廃液を蒸発濃縮処理する場合においては、該処理の妨げとなる洗剤成分起因の発泡が生じないので、放射性物質の濃縮処理を迅速に行うことができる。
【００４５】
また、洗濯乾燥機１１から排出された洗濯廃液は、洗濯廃液収集タンク１２に貯留されるように構成されている。このため、洗濯廃液の濾過工程等の終了を待つことなく、洗濯乾燥機１１により次の洗濯を行うことができる。
【００４６】
また、洗濯廃液濾過器１３の濾材には、濾過助剤の用いられていないプリーツ型フィルタ又は中空糸型フィルタが用いられる。このため、定期的な濾過助剤の交換作業を不要にすることができ、放射性廃棄物としての濾過助剤の発生を防止することができる。
【００４７】
また、洗濯廃液濾過器１３の濾材には、活性炭が用いられていない。このため、二次廃棄物（放射性廃棄物）となる廃活性炭が発生することがなく、二次廃棄物の処理作業量を低減することができる。
【００４８】
また、洗濯廃液サンプルタンク１４に貯留された洗濯廃液は、所定の水質基準を満たす場合にのみ外部環境に放出されるようになっている。このため、環境汚染を抑制することができる。
【００４９】
また、洗濯廃液濾過器１３の濾材は、逆洗器１５によって定期的に洗浄されるようになっている。このため、濾材の寿命を大幅に延ばすことができ、濾材交換のためのコストを低減することができる。
【００５０】
また、逆洗廃液収集タンク１６に貯留された濾材洗浄廃液は、イオン交換樹脂処理や蒸発濃縮処理等によって放射性物質が減容処理されるようになっている。このため、放射性廃棄物の処理作業量を低減することができる。
【００５１】
よって、この第１実施形態によれば、放射性廃棄物量を低減することができると共に、運用が簡便な洗濯装置１０を提供することができる。
【００５２】
〔第２実施形態〕
図２は、本発明の第２実施形態に係る洗濯装置を示すブロック図である。なお、以下の説明において、既に説明した部材と同一の部材若しくは既に説明した部材に相当する部材には、同一の符号を付して説明を省略又は簡略化する。
【００５３】
図２に示すように、本発明の第２実施形態に係る洗濯装置１０は、上記第１実施形態に係る洗濯装置１０の構成に、洗濯廃液サンプルタンク１４と逆洗器１５とを接続する、濾過済み液供給手段としての配管２２を設けたものである。
すなわち、配管２２は、洗濯廃液サンプルタンク１４に収集された濾過済み液（洗濯廃液）を逆洗器１５に送出可能に構成されている。配管２２には、濾過済み液を逆洗器１５に送出するポンプや、流路を開閉する弁装置等が適宜設けられる。
その他の構成は、上記第１実施形態に係る洗濯装置１０と同様であるので、説明を省略する。
【００５４】
次に、本発明の第２実施形態に係る洗濯装置１０の動作について図２を参照しながら説明する。
本発明の第２実施形態に係る洗濯装置１０の動作は、上記第１実施形態に係る洗濯装置１０の動作と略同様である。異なる点は、逆洗器１５が、配管２２を介して送出されてきた濾過済み液を逆洗水として洗濯廃液濾過器１３に供給し、洗濯廃液濾過器１３の濾材を洗浄する点である。
その他の動作は、上記第１実施形態に係る洗濯装置１０の動作と同様であるので、説明を省略する。
【００５５】
以上のように、第２実施形態に係る洗濯装置１０によれば、以下に示す各効果が奏される。
第２実施形態に係る洗濯装置１０においては、上記第１実施形態に係る洗濯装置１０の構成に、洗濯廃液収集タンク１２と逆洗器１５とを接続する配管２２を更に備える。
このため、上記第１実施形態の場合と同様の効果を奏するほか、系外から新たな逆洗水を供給する必要がなく、濾過済み液を逆洗水として有効に利用して洗濯廃液濾過器１３の濾材を洗浄することができる。したがって、系外に放出する洗濯廃液の量を低減することができる。
【００５６】
以上、本発明の一実施形態について説明したが、本発明は、前述した実施形態に制限されるものではなく、適宜変更が可能である。
上記各実施形態においては、濾材洗浄廃液貯留タンクとして、逆洗廃液収集タンク１６を設けるものとして説明したが、これに限定されない。例えば、逆洗廃液収集タンク１６を設けずに、上記濾材洗浄廃液を減容処理する処理系（図示せず）に直接送出するように構成してもよい。
【００５７】
また、上記各実施形態においては、洗濯機部１１ａにおいて洗浄水に供給される微細気泡は、マイクロバブル又はナノバブルであるものとして説明したが、これに限定されない。例えば、被洗浄物の汚れを適切に洗浄できれば、気泡の直径がマイクロメートルオーダー以上の微細気泡であってもよい。
【００５８】
また、上記各実施形態においては、洗濯廃液濾過器１３の濾材は、プリーツ型フィルタ又は中空糸型フィルタであるものとして説明したが、これに限定されない。例えば、上記濾過助剤が用いられていないフィルタであれば、プリーツ型フィルタ又は中空糸型フィルタ以外のフィルタであってもよい。
【００５９】
また、上記各実施形態においては、洗濯装置１０は、被洗浄物を乾燥する乾燥機として、乾燥機部１１ｂを有するものとして説明したが、これに限定されない。例えば、洗濯機と乾燥機とを別体（いわゆる２槽式）に構成してもよい。
【符号の説明】
【００６０】
１０  洗濯装置
１１  洗濯乾燥機
１１ａ  洗濯機部（洗濯機）
１１ｂ  乾燥機部（乾燥機）
１２  洗濯廃液収集タンク
１３  洗濯廃液濾過器（濾過器）
１４  洗濯廃液サンプルタンク（濾過済み液貯留タンク）
１５  逆洗器（濾材洗浄器）
１６  逆洗廃液収集タンク（濾材洗浄廃液貯留タンク）
１７，１８，１９，２０，２１  配管
２２  配管（濾過済み液供給手段）
【図１】
2011064463.tif 000003
【図２】
2011064463.tif 000004